(57)【要約】【課題】着信回数と呼び出し回数から重要度を算出し、算出された重要度に従って着信履歴を表示することが可能で、いたずら電話や迷惑電話の重要度を下げることができる電話端末、記録媒体を提供する。【解決手段】着信履歴記録機能を備えた電話端末であって、着信時に発信者番号を取得する発信者番号取得手段１と、着信日付時刻取得手段２と、着信時の呼び出し回数計測手段３と、重要度算出手段４と、着信履歴保持手段５と、着信履歴書き込み手段６と、着信履歴表示手段７と、着信記録初期化手段８と、制御手段９とを備える。【選択図】　　　図１
2004032036.tif 000002
【特許請求の範囲】
【請求項１】
着信履歴記録機能を備えた電話端末であって、着信時に発信者番号を取得する発信者番号取得手段と、着信時の日付と時刻を所得する着信日付時刻取得手段と、着信時の呼び出し回数を計測する回数計測手段と、着信した内容の重要度を算出する重要度算出手段と、着信の履歴を記憶保持する着信履歴保持手段と、該着信履歴保持手段に着信履歴データを書き込む着信履歴書き込み手段と、前記着信履歴の内容を表示する着信履歴表示手段と、着信記録を初期状態にクリアする着信記録初期化手段と、前記各手段を制御する制御手段とを備えることを特徴とする電話端末。
【請求項２】
前記重要度算出手段は、同一発信者からの着信の重要度を、前回の着信履歴初期化後からの着信回数の値に基づいて算出することを特徴とする請求項１記載の電話端末。
【請求項３】
前記重要度算出手段は、同一発信者からの着信の重要度を、前回の着信履歴初期化後からの呼び出し回数の合計値に基づいて算出することを特徴とする請求項１記載の電話端末。
【請求項４】
前記重要度算出手段は、発信者が判別不可能である着信の重要度を、発信者が判別可能である着信より低く算出することを特徴とする請求項１記載の電話端末。
【請求項５】
前記着信履歴表示手段は、着信の重要度に基づき着信履歴を表示することを特徴とする請求項１乃至４の何れか一項に記載の電話端末。
【請求項６】
前記着信履歴初期化手段は、着信中に扱者が電話を受けた場合に、当該発信者の過去の不在着信履歴を初期化することを特徴とする請求項１乃至５何れか一項に記載の電話端末。
【請求項７】
着信履歴記録機能を備えた電話プログラムが記録された記録媒体であって、着信時に発信者番号を取得する発信者番号取得ステップと、着信時の日付と時刻を所得する着信日付時刻取得ステップと、着信時の呼び出し回数を計測する回数計測ステップと、着信した内容の重要度を算出する重要度算出ステップと、着信の履歴を記憶保持する着信履歴保持ステップと、該着信履歴保持ステップに着信履歴データを書き込む着信履歴書き込みステップと、前記着信履歴の内容を表示する着信履歴表示ステップと、着信記録を初期状態にクリアする着信記録初期化ステップと、を有する電話プログラムが記録されていることを特徴とする記録媒体。
【請求項８】
前記重要度算出ステップは、同一発信者からの着信の重要度を、前回の着信履歴初期化後からの着信回数の値に基づいて算出することを特徴とする請求項７記載の記録媒体。
【請求項９】
前記重要度算出ステップは、同一発信者からの着信の重要度を、前回の着信履歴初期化後からの呼び出し回数の合計値に基づいて算出することを特徴とする請求項７記載の記録媒体。
【請求項１０】
前記重要度算出ステップは、発信者が判別不可能である着信の重要度を、発信者が判別可能である着信より低く算出することを特徴とする請求項７記載の記録媒体。
【請求項１１】
前記着信履歴表示ステップは、着信の重要度に基づき着信履歴を表示することを特徴とする請求項７乃至１０の何れか一項に記載の記録媒体。
【請求項１２】
前記着信履歴初期化ステップは、着信中に扱者が電話を受けた場合に、当該発信者の過去の不在着信履歴を初期化することを特徴とする請求項７乃至１１の何れか一項に記載の記録媒体。
【発明の詳細な説明】
【０００１】
【発明の属する技術分野】
本発明は、着信履歴記録機能を有する携帯電話及び固定電話などの電話機等、電話機能を有する通信端末、コンピュータに電話機能を付加させるための電話プログラムを格納（記録）したコンピュータ読み取り可能な記録媒体に関するものである。
【０００２】
【従来の技術】
近年、発信者番号通知サービスが普及し、着信時の日付や時刻と発信者番号とを関連付けて端末に記録し、必要に応じて表示することが可能となっている。これにより、特に不在時の着信記録を表示させ、発信者番号に折り返し電話するといった使い方がなされている。
また、近年パーソナルコンピュータ上で電話プログラムを動作させることで、パーソナルコンピュータを電話端末として利用することができる。このような電話プログラムは、ハードディスクやフレキシブルディスク、ＣＤ−ＲＯＭ、ＤＶＤと言った記録媒体に格納されている。
ところで、着信記録の有効な管理方法として以下の方法が知られている。特願平１０−１９５１４５号公報「電話端末および発着信履歴の管理方法」によれば、過去の通話回数値の多い順に表示することが可能となる。
また、不在時の着信の重要性や緊急性を判断するための装置として、特願平１１−１０１７１８号公報「通信装置」記載の方法によれば、不在着信時の呼び出し回数を基に重要性を判断することが可能となる。
【０００３】
【発明が解決しようとする課題】
しかしながら、特願平１０−１９５１４５号公報によれば、過去の通話回数値の多い順に表示することが可能となるが、この方法では、例えば一度だけ呼び出しをかけてすぐに切断するといった、いたずら電話、迷惑電話などが通話回数が多くカウントされてしまい、重要度を表さない可能性がある。
また、特願平１１−１０１７１８号公報では、呼び出し回数に基づいて重要度を判断するため、一度だけ呼び出しをかけてすぐに切断するといった、いたずら電話、迷惑電話などの重要度を下げることは可能になるが、例えば決められた数回の呼び出し後に留守番電話に切り替わるといった設定をしている場合、不在着信の呼び出し回数が同じになる可能性が高く、重要度の判定ができなくなる。
本発明は、上記の問題に鑑みてなされたものであり、着信回数と呼び出し回数から重要度を算出し、算出された重要度に従って着信履歴を表示することが可能で、いたずら電話や迷惑電話の重要度を下げることができる電話端末、記録媒体を提供することを目的とするものである。
【０００４】
【課題を解決するための手段】
前記の課題を解決するために、請求項１記載の発明では、着信履歴記録機能を備えた電話端末であって、着信時に発信者番号を取得する発信者番号取得手段と、着信時の日付と時刻を所得する着信日付時刻取得手段と、着信時の呼び出し回数を計測する回数計測手段と、着信した内容の重要度を算出する重要度算出手段と、着信の履歴を記憶保持する着信履歴保持手段と、該着信履歴保持手段に着信履歴データを書き込む着信履歴書き込み手段と、前記着信履歴の内容を表示する着信履歴表示手段と、着信記録を初期状態にクリアする着信記録初期化手段と、前記各手段を制御する制御手段とを備えることを特徴とする。
請求項２記載の発明では、請求項１記載の電話端末において、前記重要度算出手段は、同一発信者からの着信の重要度を、前回の着信履歴初期化後からの着信回数の値に基づいて算出することを主要な特徴とする。
請求項３記載の発明では、請求項１記載の電話端末において、前記重要度算出手段は、同一発信者からの着信の重要度を、前回の着信履歴初期化後からの呼び出し回数の合計値に基づいて算出することを主要な特徴とする。
請求項４記載の発明では、請求項１記載の電話端末において、前記重要度算出手段は、発信者が判別不可能である着信の重要度を、発信者が判別可能である着信より低く算出することを主要な特徴とする。
請求項５記載の発明では、請求項１〜４のいずれか記載の電話端末において、前記着信履歴表示手段は、着信の重要度に基づき着信履歴を表示することを主要な特徴とする。
請求項６記載の発明では、請求項１〜５のいずれか記載の電話端末において、前記着信履歴初期化手段は、着信中に扱者が電話を受けた場合に、当該発信者の過去の不在着信履歴を初期化することを主要な特徴とする。
【０００５】
請求項７記載の発明では、着信履歴記録機能を備えた電話プログラムが記録された記録媒体であって、着信時に発信者番号を取得する発信者番号取得ステップと、着信時の日付と時刻を所得する着信日付時刻取得ステップと、着信時の呼び出し回数を計測する回数計測ステップと、着信した内容の重要度を算出する重要度算出ステップと、着信の履歴を記憶保持する着信履歴保持ステップと、該着信履歴保持ステップに着信履歴データを書き込む着信履歴書き込みステップと、前記着信履歴の内容を表示する着信履歴表示ステップと、着信記録を初期状態にクリアする着信記録初期化ステップと、を有する電話プログラムが記録されていることを特徴とする。
請求項８記載の発明では、請求項７記載の記録媒体において、前記重要度算出ステップは、同一発信者からの着信の重要度を、前回の着信履歴初期化後からの着信回数の値に基づいて算出することを主要な特徴とする。
請求項９記載の発明では、請求項７記載の記録媒体において、前記重要度算出ステップは、同一発信者からの着信の重要度を、前回の着信履歴初期化後からの呼び出し回数の合計値に基づいて算出することを主要な特徴とする。
請求項１０記載の発明では、請求項７記載の記録媒体において、前記重要度算出ステップは、発信者が判別不可能である着信の重要度を、発信者が判別可能である着信より低く算出することを主要な特徴とする。
請求項１１記載の発明では、請求項７〜１０のいずれか記載の記録媒体において、前記着信履歴表示ステップは、着信の重要度に基づき着信履歴を表示することを主要な特徴とする。
請求項１２記載の発明では、請求項７〜１１のいずれか記載の記録媒体において、前記着信履歴初期化ステップは、着信中に扱者が電話を受けた場合に、当該発信者の過去の不在着信履歴を初期化することを主要な特徴とする。
【０００６】
【発明の実施の形態】
以下、本発明の実施の形態を図面に基づいて詳細に説明する。なお、この実施の形態は例を示したものに過ぎず、本発明を限定するものではない。
（第１の実施例）
図１は本発明の実施の形態に係る電話端末の機能ブロック図である。本電話端末は、着信時に発信者番号を取得する発信者番号取得手段１と、着信日付時刻取得手段２と、着信時の呼び出し回数計測手段３と、重要度算出手段４と、着信履歴保持手段５と、着信履歴書き込み手段６と、着信履歴表示手段７と、着信記録初期化手段８と、全体の制御手段９とから構成される。
図２は着信時の動作フロー図である。着信が行われると図２に示される処理がスタートする。処理手順は制御手段９により制御される。まず着信日付時刻取得手段２により、この着信処理が始まった日付と時刻を取得する（Ｓ１）。次に、発信者番号取得手段１により発信者番号を取得する（Ｓ２）。この実施例では、電話端末は回線業者の提供する発信者番号通知サービスを受けているものとする。一般に発信者番号は非通知に設定することができる。
この場合は発信者番号は取得できず、発信者番号未設定の状態のまま処理が進行する。次に、呼び出し回数計測手段３により、呼び出し回数の計測が開始される（Ｓ３）。計測の方法は色々考えられるが、例えば、呼び出し信号の入力レベルがある閾値（スレッショルド）を境に変化した回数を計測する、等の方法がある。呼び出し回数の計測は、発信者による回線が切断等で呼び出しが終了するか（Ｓ４）、あるいは扱者による応答がなされるまで（Ｓ５）続けられる。発信者による回線が切断等で呼び出しが終了するか、あるいは扱者による応答がなされるた場合は、着信履歴書き込み手段６により、着信履歴情報が書き込まれる（Ｓ６）。書き込まれた着信履歴情報は、着信履歴保持手段５により保持される。
【０００７】
図３に着信履歴情報の構成例を示す。開始日時は着信のあった日付と時刻を示す。終了日時は着信処理の終了した日付と時刻を示す。発信者番号は発信者の端末の番号を示す。発信者番号が非通知だった場合など、取得できなかった場合は空とするか、あるいはそれとわかるデータ（例えばｕｎｋｎｏｗｎ等の文字列）などが入る。
呼び出し回数は、発信者が呼び出した回数（コール数）である。応答フラグは、応答したかどうかを示すフラグである。Ｙｅｓの場合は応答したことを、Ｎｏの場合は応答しなかったことを示す。すなわちこのフラグがＮｏである場合は不在着信履歴となる。有効フラグはこの着信履歴の重要度を算出する際に用いられるフラグであり、Ｙｅｓの場合はこの履歴情報を重要度の算出する際のデータとすることを示し、Ｎｏの場合はこの履歴情報を無視することを示す。
履歴情報を表示する際には重要度を算出する。重要度は発信者番号毎に算出されるため、どの番号に優先的に連絡をするべきかが示される。図４は重要度算出フローの第１の例を示す図である。図４では着信回数に基づき重要度を算出している。保持されている履歴情報を検索し（Ｓ１１）、発信者番号毎に着信回数を計算し、重要度とする（Ｓ１２、Ｓ１３）。一般に、重要な電話の場合は不在の場合でも何度か繰り返し連絡すると考えられるため、着信回数はその連絡の重要度を表す。
図５に着信履歴情報の表示画面の第１の例を示す。発信者番号毎の重要度に従って表示する。この例では、発信者番号０１２３−４５−６７８９の端末からは３回着信があり、０１２３−４５−９８７６の端末からは２回の着信があるため、０１２３−４５−６７８９を先に表示している。
以上示した処理手順はあくまでも一例である。例えば割り込み処理等を利用した場合など、厳密には処理手順が異なる場合が考えられる。また日付時刻の取得や発信者番号の取得のように、処理手順が入れ替わっても問題なく動作する場合がある。このように、端末の扱者は、着信履歴が重要度に従って表示されるため、優先的に連絡をとる番号を知ることが可能となる。
【０００８】
（第２の実施例）
前半は第１の実施例と同様である。図６は重要度算出フローの第２の例を示す図である。図６では呼び出し回数の合計値を利用して重要度を算出している。保持されている履歴情報を検索し（Ｓ２１）、発信者番号毎に呼び出し回数を合計し、重要度とする（Ｓ２２、Ｓ２３）。一般に、重要な電話の場合は相手が不在の場合でも何度か繰り返し連絡し、また１回の呼び出し時間が長くなると考えられるため、呼び出し回数の合計値はその連絡の重要度を表す。
図７に着信履歴情報の表示画面の第２の例を示す。発信者番号毎の重要度に従って表示する。この例では、スコアは呼び出し音の合計回数を示す。発信者番号０１２３−４５−６７８９の端末からは３回の着信の合計呼び出し回数が２４回、０１２３−４５−９８７６の端末からは２回の着信の合計呼び出し回数が８回であるため、０１２３−４５−６７８９を先に表示している。
【０００９】
（第３の実施例）
発信者番号毎に重要度を算出するが、非通知の場合を一つと考えると重要度が高くなる可能性があるため、非通知の場合は重要度を最も低く算出する。これにより、連絡を取りようがない不在着信履歴の重要度を低くし、非優先的に表示することができる。
【００１０】
（第４の実施例）
不在着信履歴に存在する発信者と連絡がとれた場合、すなわち同じ発信者からの着信に応答した場合は、着信記録初期化手段を利用し、その発信者による過去の着信履歴情報を初期化する。図３の例では有効フラグをＮｏにする。重要度算出手段４は、有効フラグがＮｏである履歴情報に関しては加算を行わないので、連絡がとれた発信者からの着信履歴の重要度を下げることができる。これにより、連絡がとれた発信者からの着信履歴を非優先的に表示することができる。
図８は重要度算出フローの第３の例を示す図である。着信履歴データを検索し（Ｓ３１）、着信履歴が見つかり（Ｓ３２）、有効フラグがある場合に（Ｓ３３）、発信者番号の着信回数データに呼び出し回数を足す（Ｓ３４）。
【００１１】
【発明の効果】
以上説明したように、本発明によれば、着信履歴の重要度を算出でき、重要な履歴を優先的に表示することが可能となる。
具体的には、請求項１および７に係る電話端末および記録媒体によれば、着信履歴の重要度を算出でき、重要な履歴を優先的に表示することが可能となる。
請求項２および８に係る電話端末および記録媒体によれば、着信の回数から着信履歴の重要度を算出できる。
請求項３および９に係る電話端末および記録媒体によれば、着信の回数と各着信の呼び出し回数の合計から着信履歴の重要度を算出できる。
請求項４および１０に係る電話端末および記録媒体によれば、発信番号非通知の着信履歴の重要度を低く算出できる。
請求項５および１１に係る電話端末および記録媒体によれば、重要な履歴を優先的に表示することが可能となる。
請求項６および１２に係る電話端末および記録媒体によれば、一度応答して連絡がとれた発信者の履歴の重要度を初期化することで、重要度を低く算出することができる。
【図面の簡単な説明】
【図１】本発明の実施の形態に係る電話端末の機能ブロック図である。
【図２】着信時の動作フロー図である。
【図３】着信履歴情報の構成例を示す図である。
【図４】重要度算出フローの第１の例を示す図である。
【図５】着信履歴情報の表示画面の第１の例を示す図である。
【図６】重要度算出フローの第２の例を示す図である。
【図７】着信履歴情報の表示画面の第２の例を示す図である。
【図８】重要度算出フローの第３の例を示す図である。
【符号の説明】
１　発信者番号取得手段、２　着信日付時刻取得手段、３　呼び出し回数計測手段、４　重要度算出手段、５　着信履歴保持手段、６　着信履歴書き込み手段、７　着信履歴表示手段、８　着信記録初期化手段、９　制御手段
【図１】
2004032036.tif 000003
【図２】
2004032036.tif 000004
【図３】
2004032036.tif 000005
【図４】
2004032036.tif 000006
【図５】
2004032036.tif 000007
【図６】
2004032036.tif 000008
【図７】
2004032036.tif 000009
【図８】
2004032036.tif 000010